(57)【要約】【課題】熱蛍光シートの変形を抑制することが可能であるカセット及び当該カセットを備える熱蛍光シート読み取り装置を提供する。【解決手段】放射線が照射された熱蛍光シート６０から発せられる蛍光を測定する際に当該熱蛍光シート６０を保持するカセット３１であって、カセット３１は、蛍光を透過し、上面に熱蛍光シート６０が載置される平板状の耐熱ガラス３５と、耐熱ガラス３５の上面の熱蛍光シート６０の周囲に載置されるスペーサ４３と、熱蛍光シート６０と下面で面接触して押圧する平板状の熱蛍光シート押圧板４０と、を備え、スペーサ４３の上面は、熱蛍光シート６０の上面と面一となる。【選択図】図７Ｅ
2018040591.tif 000002
【特許請求の範囲】
【請求項１】
放射線が照射された熱蛍光シートから発せられる蛍光を測定する際に当該熱蛍光シートを保持するカセットであって、
前記蛍光を透過し、上面に前記熱蛍光シートが載置される平板状のガラスと、
前記ガラスの上面で前記熱蛍光シートの周囲に載置されるスペーサと、
前記熱蛍光シートと下面で面接触して押圧する平板状の熱蛍光シート押圧板と、
を備え、
前記スペーサの上面は、前記熱蛍光シートの上面と面一となる
カセット。
【請求項２】
前記スペーサの厚みと前記熱蛍光シートの厚みとは、略一致する
請求項１に記載のカセット。
【請求項３】
さらに、
前記蛍光を透過し、前記ガラスの上面に載置される平板状の保護シートを備え、
前記熱蛍光シートは、前記保護シートの上面に載置され
前記スペーサの厚みと、前記熱蛍光シートの厚みと前記保護シートの厚みとの合計の厚みとは、略一致する
請求項１に記載のカセット。
【請求項４】
さらに、
前記ガラス及び前記熱蛍光シート押圧板を支持する枠体を備え、
前記熱蛍光シート押圧板が前記熱蛍光シートを押圧しているときに、前記枠体の上面と前記熱蛍光シート押圧板の上面とが面一になる
請求項１〜３のいずれか１項に記載のカセット。
【請求項５】
前記熱蛍光シート押圧板は、前記熱蛍光シートと面接触する平板状の熱伝導部と当該熱伝導部の端部に形成された枠部とを有し、
前記熱伝導部は、ガラス繊維及びポリテトラフルオロエチレンを含む
請求項４に記載のカセット。
【請求項６】
前記枠部及び前記枠体は、一方が磁性体を含み、他方がマグネットを含み、
前記枠部及び前記枠体は、前記スペーサを介して対抗する位置である
請求項５に記載のカセット。
【請求項７】
前記カセットは平面視で略正方形であり、
前記枠体は、上面に複数の溝部を有し、
平面視した場合に、前記複数の溝部は、前記カセットの中心を９０度回転させたときに略一致する位置に形成されている
請求項４〜６のいずれか１項に記載のカセット。
【請求項８】
前記枠体の下面には、凹部が形成されている
請求項４〜７のいずれか１項に記載のカセット。
【請求項９】
前記枠体と前記スペーサとは着脱可能に固定されている
請求項４〜８のいずれか１項に記載のカセット。
【請求項１０】
請求項１〜９のいずれか１項に記載のカセットを備え、放射線が照射された熱蛍光シートから発せられる蛍光を測定する熱蛍光シート読み取り装置。
【発明の詳細な説明】
【技術分野】
【０００１】
本発明は、放射線が照射された熱蛍光シートから発せられる蛍光を測定する際に当該熱蛍光シートを保持するカセット及び当該カセットを備える熱蛍光シート読み取り装置に関する。
【背景技術】
【０００２】
放射線の被ばく箇所や被ばく量を検出する放射線線量計は、種々のものが提案されている。放射線線量計として、例えば、皮膚吸収線量を測定対象とした熱蛍光シート、人体の吸収線量を測定対象とした熱蛍光体板状体又はガラス管に熱蛍光体を封入したもの等のＴＬＤ（Ｔｈｅｒｍｏｌｕｍｉｎｅｓｃｅｎｔ  Ｄｏｓｉｍｅｔｅｒ）が利用されている。上述した放射線が照射された熱蛍光体は、加熱することで蛍光を発するため、熱蛍光体を加熱する加熱部と、発せられた蛍光を測定する撮像部とを有した測定装置が提案されている。（例えば、特許文献１参照）。
【０００３】
特許文献１では、熱蛍光の画像読み取り装置は、熱蛍光体と硝子とからなる混合物から作製された画像提供物となるサンプルシートと、上述したサンプルシートを加熱する加熱部と、サンプルシート設置部と、撮像部とを備える。さらに、画像読み取り装置は、サンプルシート設置部及び撮像部の間に、加熱部の熱が撮像部に伝達されないように熱を遮断する断熱部を備える。
【０００４】
これによって、加熱部で発生した熱が撮像部へ伝達することを抑制している。
【先行技術文献】
【特許文献】
【０００５】
【特許文献１】特開２０１４−２８９１３号公報
【発明の概要】
【発明が解決しようとする課題】
【０００６】
ところで、上述したサンプルシートを加熱した際に、当該サンプルシートに熱が均一に伝わらない場合、当該熱の影響により当該サンプルシートが変形することがある。サンプルシートが変形すると、サンプルシートが発する蛍光の二次元画像が精度よく取得できないといった問題がある。
【０００７】
本発明は、このような問題を鑑みてなされたものであり、熱蛍光シートの変形を抑制することが可能であるカセット及び当該カセットを備える熱蛍光シート読み取り装置を提供することを目的とする。
【課題を解決するための手段】
【０００８】
上記目的を達成するために、本発明に係るカセットは、放射線が照射された熱蛍光シートから発せられる蛍光を測定する際に当該熱蛍光シートを保持するカセットであって、前記蛍光を透過し、上面に前記熱蛍光シートが載置される平板状のガラスと、前記ガラスの上面で前記熱蛍光シートの周囲に載置されるスペーサと、前記熱蛍光シートと下面で面接触して押圧する平板状の熱蛍光シート押圧板と、を備え、前記スペーサの上面は、前記熱蛍光シートの上面と面一となる。
【０００９】
これにより、熱蛍光シート押圧板は、熱蛍光シート全体に一様な力を加えやすくなる。さらには、熱蛍光シート押圧板が熱蛍光シートに熱を伝導する際に、熱蛍光シート全体に一様に熱が加わりやすくなる。そのため、熱蛍光シートの変形は抑制される。
【００１０】
また、前記スペーサの厚みと前記熱蛍光シートの厚みとは、略一致してもよい。
【００１１】
これにより、熱蛍光シート押圧板は、熱蛍光シート全体に一様な力を加えやすくなる。
【００１２】
また、前記カセットは、さらに、前記蛍光を透過し、前記ガラスの上面に載置される平板状の保護シートを備え、前記熱蛍光シートは、前記保護シートの上面に載置され前記スペーサの厚みと、前記熱蛍光シートの厚みと前記保護シートの厚みとの合計の厚みとは、略一致してもよい。
【００１３】
これにより、熱蛍光シート押圧板は、熱蛍光シート全体に一様な力を加えやすくなる。
【００１４】
また、前記カセットは、さらに、前記ガラス及び前記熱蛍光シート押圧板を支持する枠体を備え、前記熱蛍光シート押圧板が前記熱蛍光シートを押圧しているときに、前記枠体の上面と前記熱蛍光シート押圧板の上面とが面一となっていてもよい。
【００１５】
これにより、カセット上部にヒータ等が押し当てられた場合に、カセット上面には一様に力が加わりやすくなる。つまり、熱蛍光シート全体に一様な力が加わりやすくなる。そのため、熱蛍光シートの変形は抑制される。
【００１６】
また、前記熱蛍光シート押圧板は、前記熱蛍光シートと面接触する平板状の熱伝導部と当該熱伝導部の端部に形成された枠部とを有し、前記熱伝導部は、ガラス繊維及びポリテトラフルオロエチレンを含んでもよい。
【００１７】
これにより、熱蛍光シート押圧板はヒータなどの加熱部から発せられる熱を熱蛍光シートに効率よく伝導しやすい。
【００１８】
また、前記枠部及び前記枠体は、一方が磁性体を含み、他方がマグネットを含み、前記枠部及び前記枠体は、前記スペーサを介して対抗する位置でもよい。
【００１９】
こうすることで、熱蛍光シートがカセットに保持される際に、枠体と枠部とは磁力によって位置が固定される。そのため、熱蛍光シートを保持するために係止部分を設ける必要がなくなる。そのため、カセットは、簡便な構成で熱蛍光シートを当該カセットに保持し得る。
【００２０】
また、前記カセットは平面視で略正方形であり、前記枠体は、上面に複数の溝部を有し、平面視した場合に、前記複数の溝部は、前記カセットの中心を９０度回転させたときに略一致する位置に形成されてもよい。
【００２１】
つまり、カセットは、第１の向きと、第１の向きと直交する第２の向きとで、熱蛍光シート読み取り装置内部でのカセットの搬送に用いられる溝の位置が略一致する。そのために、作業者がカセットを熱蛍光シート読み取り装置内へ搬入する際に、カセットの向きによる制限を受けないので、作業者の負担を軽減することが可能となる。
【００２２】
また、前記枠体の下面には、凹部が形成されていてもよい。具体的には、カセットは、熱蛍光シート読み取り装置内での移動中に当該カセットが設置される位置を決めるために利用される凹部を備える。
【００２３】
これにより、簡便な構成で熱蛍光シート読み取り装置内におけるカセットの設置位置を決定できる。
【００２４】
また、前記枠体と前記スペーサとは着脱可能に固定されていてもよい。
【００２５】
これにより、熱蛍光シートの厚みに応じてスペーサを簡便に変更することができる。つまり、スペーサの変更のみで熱蛍光シートの厚みに応じたカセットを提供し得る。
【００２６】
また、本発明に係る熱蛍光シート読み取り装置は、放射線が照射された熱蛍光シートから発せられる蛍光を測定する熱蛍光シート読み取り装置であって、前記カセットを備える。
【００２７】
これにより、熱蛍光シートの変形が抑制されるカセットを備える熱蛍光シート読み取り装置を提供することが可能となる。
【発明の効果】
【００２８】
本発明の一態様に係るカセット等では、熱蛍光シートの変形を抑制することができる。
【図面の簡単な説明】
【００２９】
【図１】図１は、実施の形態に係る熱蛍光シート読み取り装置の正面側の外観を示す斜視図である。
【図２】図２は、実施の形態に係る熱蛍光シート読み取り装置の背面側の外観を示す斜視図である。
【図３】図３は、実施の形態に係る熱蛍光シート読み取り装置の正面側の内部構造を示す斜視図である。
【図４】図４は、実施の形態に係る熱蛍光シート読み取り装置の背面側の内部構造を示す斜視図である。
【図５】図５は、図３の破線Ｖで囲まれた部分を拡大して示す部分拡大図である。
【図６】図６は、筐体の内側から見た扉部及び鍵部の一例を示す図である。
【図７Ａ】図７Ａは、実施の形態に係るカセットの外観の一例を示す斜視図である。
【図７Ｂ】図７Ｂは、図７Ａに示すカセットの熱蛍光シート押圧板の位置を変更した斜視図である。
【図７Ｃ】図７Ｃは、図７Ａに示すカセットの上面図である。
【図７Ｄ】図７Ｄは、図７Ａに示すカセットの下面図である。
【図７Ｅ】図７Ｅは、図７ＡのＶＩＩＥ−ＶＩＩＥ線に沿って切断された断面図である。
【図７Ｆ】図７Ｆは、図７ＡのＶＩＩＥ−ＶＩＩＥ線に対応した位置に沿って切断されたカセットの変形例を示す断面図である。
【図８】図８は、図３の破線ＶＩＩＩで囲まれた部分を拡大して示す部分拡大図である。
【図９】図９は、実施の形態に係る熱蛍光シート読み取り装置の機能構成と空気の流路を示すブロック図である。
【図１０】図１０は、実施の形態に係る熱蛍光シート読み取り装置による蛍光測定の手順を示すフローチャートである。
【発明を実施するための形態】
【００３０】
以下、本発明の実施形態について図面を用いて詳細に説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。よって、以下の実施の形態における構成要素のうち、本発明の最上位概念を示す独立請求項に記載されていない構成要素については、任意の構成要素として説明される。なお、各図は模式図であり、必ずしも厳密に図示されたものではない。また、各図において、実質的に同一の構成に対しては同一の符号を付しており、重複する説明は省略または簡略化される場合がある。
【００３１】
また、本明細書において、各図におけるＺ軸は、カセットに熱蛍光シートが設置される方向であるとする。また、各図におけるＸ軸及びＹ軸は、Ｚ軸に直交する方向であるとする。また、Ｘ軸は、Ｙ軸と直交する方向であるとする。また、本明細書において、Ｚ軸の正方向を上方とし、Ｚ軸の負方向を下方として定義する。
【００３２】
また、本明細書において、平行とは、略平行すなわち製造上の誤差を含む。また、本明細書において、直交とは、略直交すなわち製造上の誤差を含む。また、本明細書において、「略」又は「約」とは、製造又は配置の際に生じる誤差を含むことを意味する。
【００３３】
（実施の形態）
図１は、実施の形態に係る熱蛍光シート読み取り装置１の正面側の外観を示す斜視図である。図２は、実施の形態に係る熱蛍光シート読み取り装置１の背面側の外観を示す斜視図である。図３は、実施の形態に係る熱蛍光シート読み取り装置１の正面側の内部構造を示す斜視図である。図４は、実施の形態に係る熱蛍光シート読み取り装置１の背面側の内部構造を示す斜視図である。
【００３４】
熱蛍光シート読み取り装置１は、実施の形態に係るカセットが適用される熱蛍光シート読み取り装置の一例であり、放射線等が照射された熱蛍光体を加熱し、熱蛍光体から発せられる蛍光（熱蛍光）を測定する装置である。例えば、作業者は、放射線の分布を確認したい平面に、上述した熱蛍光シートを設置する。作業者は、熱蛍光シートに放射線を照射した後に熱蛍光シート読み取り装置１で蛍光の測定を行う。すると、作業者は、蛍光の分布や各々の位置での強度が確認できるので、放射線が照射された分布も対応して確認することが可能となる。また、熱蛍光体が照射された放射線量と熱蛍光体から発せられる蛍光の光量との対応関係が分かっていれば、蛍光の光量から照射された放射線量が間接的に確認できる。
【００３５】
熱蛍光体は、放射線が照射された時に、その放射線のエネルギーにより一部の電子が励起され、その状態が保持される。そして、熱蛍光体は、電子が励起された状態で外部から熱的なエネルギーが与えられた時（具体的には、加熱された時）に、電子が基底状態に戻り、蛍光が発せられる。熱蛍光シートは、上述した熱蛍光体がシート状の平面に均一に形成されたものである。
【００３６】
図１に示されるように、熱蛍光シート読み取り装置１は、筐体２と、操作部５とを備える。
【００３７】
筐体２は、熱蛍光シートを加熱する加熱部１９（図３参照）、熱蛍光シートから発せられる蛍光を撮像する撮像部１５（図３参照）などを覆う箱体である。筐体２の材料は、例えば、金属などである。筐体２は、筐体２内に熱蛍光シートを設置したカセット３１を搬入するための扉部３と、蛍光の測定を終了した後にカセット３１を筐体２から取り出すための扉部３ａとを備える。
【００３８】
筐体２は、さらに、熱蛍光シート読み取り装置１の内部に空気を送入する空気送入口６を備える。空気送入口６は、筐体２の側面（例えば、図１に示す筐体２のＹ方向側の面）の下側に設けられる。こうすることで、加熱部１９より温度の低い筐体２の外側の空気が熱蛍光シート読み取り装置１の下方から筐体２内に取り込まれる。相対的に温度の高い空気は上方へ動くので、筐体２内の排気が効率良く行なわれる。
【００３９】
また、筐体２は、さらに点検窓４を備える。点検窓４は、筐体２内にあるレンズ１６が設置してある部分に連通するように設けられており、蛍光を測定する際の絞りの調整やメンテナンス時に利用するためのものである。
【００４０】
操作部５は、作業者が熱蛍光シート読み取り装置１の操作を指示するための機構であり、熱蛍光の測定のための加熱部１９の温度の設定や測定時間などの指示を受け付けるデバイスである。操作部５は、例えば、タッチパネルなどで構成される。
【００４１】
また、熱蛍光シート読み取り装置１は、使用していない熱蛍光シートを保持するためのカセット３１（図７Ａ参照）を保管しておくためのカセット保管部７を備える。
【００４２】
また、熱蛍光シート読み取り装置１は、非常停止スイッチ８を備える。非常停止スイッチ８は、緊急時に熱蛍光シート読み取り装置１の動作を停止するためのボタンである。非常停止スイッチ８は、例えば、加熱部１９が誤作動を起こした際に、作業者が非常停止スイッチ８を押すことで、熱蛍光シート読み取り装置１の動作を強制的に停止させるものである。
【００４３】
また、熱蛍光シート読み取り装置１は、カセット搬入ランプ９ａ及びカセット搬出ランプ９ｂを備える。カセット搬入ランプ９ａ及びカセット搬出ランプ９ｂは、熱蛍光シート読み取り装置１へカセット３１を搬入、あるいは熱蛍光シート読み取り装置１からカセット３１を搬出が可能かどうかを点灯又は消灯によって作業者へ視覚的に連絡するランプである。
【００４４】
また、熱蛍光シート読み取り装置１は、ヒータ通電ランプ１０を備える。ヒータ通電ランプ１０は、加熱部１９に通電している状態、つまり、加熱部１９が加熱している状態かどうかを点灯又は消灯によって作業者へ視覚的に連絡するランプである。
【００４５】
図２に示されるように、筐体２は、さらに空気排出口１２を備える。空気排出口１２は、熱蛍光シート読み取り装置１の内部の空気を外部へ排出するために設けられ、空気送入口６よりも上部（図２のＺ軸正方向側）に配置される。相対的に温度の高い空気は上方へ動くので、筐体２内の排気を効率よく行うことが可能になる。なお、筐体２内の排気をしやすくするために、筐体２は、さらに上部通風口１１を備えてもよい。
【００４６】
また、熱蛍光シート読み取り装置１は、さらに電源・コネクタ部１３を備える。電源・コネクタ部１３は、電源スイッチやヒューズなどで構成される。また、電源・コネクタ部１３は、図示しない商用交流電源と接続される。電源・コネクタ部１３は、さらに、外部とネットワークなどを介して通信を行う場合に通信ケーブルなどが接続される接続端子を備える。
【００４７】
図３に示されるように、熱蛍光シート読み取り装置１は、さらに、撮像部１５と、第１冷却ファン１４と、加熱室２７と、加熱部１９と、冷却室２２と、光源１８と、電源ユニット２３とを備える。
【００４８】
撮像部１５は、熱蛍光シートから発せられる蛍光を測定する機構である。撮像部１５は、例えば、撮像素子を備えたカメラと、熱蛍光シートから発せられる蛍光を集光するレンズ１６と、特定波長の光のみを透過するフィルタ１７とで構成される。撮像素子は、例えば、ＣＣＤ（Ｃｈａｒｇｅ  Ｃｏｕｐｌｅｄ  Ｄｅｖｉｃｅ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などである。なお、撮像部１５は、蛍光を測定するタイミングを制御するためにシャッタを備えてもよい。また、撮像部１５は、撮像部１５の温度を効率良く下げるためにヒートシンクやペルチェ素子などを備えてもよい。
【００４９】
第１冷却ファン１４は、熱蛍光シート読み取り装置１内を冷却するためのファンである。第１冷却ファン１４は、熱蛍光シート読み取り装置１の外部から内部へ空気を送入する。例えば、第１冷却ファン１４は、熱蛍光シート読み取り装置１の外部の空気を撮像部１５へ直接送風できるような位置に配置される。
【００５０】
加熱室２７は、熱蛍光シートを備えたカセット３１（図７Ａ参照）を設置するための部屋（空間）である。加熱室２７に設置された熱蛍光シートは、加熱部１９により加熱され、蛍光が発せられる。
【００５１】
加熱部１９は、加熱室２７に設置されたカセット３１を上部から加熱するための機構である。具体的には、加熱部１９は、熱蛍光シートを加熱する際に、熱蛍光シートが設置されたカセット３１と接触し、カセット３１を加熱する。加熱部１９は、カセット３１の上面全体に均一に力が加わるようにカセット３１と接触する。加熱部１９は、例えば、電気ヒータである。
【００５２】
冷却室２２は、蛍光の測定が終了した熱蛍光シートが設置されたカセット３１を、熱蛍光シート読み取り装置１の外部へ搬出する前にカセット３１を冷却するために設けられた部屋（空間）である。
【００５３】
なお、加熱室２７及び冷却室２２は、熱蛍光シート読み取り装置１の内部でカセット３１が設置される空間であり、その空間の構造は特に限定されるものではなく、空間を仕切るために壁を設けても良いし、開閉可能な扉を設けてもよい。
【００５４】
光源１８は、加熱室２７に熱蛍光シート（熱蛍光シートが設置されたカセット３１）が設置された状態のとき、熱蛍光シートに光を照射するための照明光源である。光源１８は、例えば、熱蛍光シートに位置確認用のマークが備えられている場合、この位置を確認するために利用される。光源１８は、例えば、ＬＥＤ（Ｌｉｇｈｔ  Ｅｍｉｔｔｉｎｇ  Ｄｉｏｄｅ）などが用いられる。光源１８に用いられる光は、フィルタ１７を透過する波長の光であればよく、特に限定されない。
【００５５】
電源ユニット２３は、電源・コネクタ部１３から供給される電力を制御する装置である。電源ユニット２３は、熱蛍光シート読み取り装置１の各部品、例えば、加熱部１９の一例である電気ヒータなどへ電力を供給する装置である。
【００５６】
また、熱蛍光シート読み取り装置１は、さらに上部冷却ファン２０を備える。
【００５７】
上部冷却ファン２０は、熱蛍光シート読み取り装置１内に空気の流路を形成するためのファンである。上部冷却ファン２０は、加熱部１９の近傍の熱を取り除くために、熱蛍光シート読み取り装置１の内部の空気を外部へ排出する、又は、熱蛍光シート読み取り装置１の外部の空気を内部へ送入する。上部冷却ファン２０は、例えば、加熱部１９の上部（図３のＺ軸の正方向側）に配置される。
【００５８】
また、熱蛍光シート読み取り装置１は、さらにモータ２８を備える。
【００５９】
モータ２８は、加熱部１９を移動させるためのモータである。モータ２８は、加熱部１９が加熱を行う場合には、加熱部１９を加熱室２７に設置されたカセット３１へ近づけるように駆動する。具体的には、加熱部１９が加熱を行う場合には、加熱室２７に設置されたカセット３１を加熱部１９で押さえつけるようにモータ２８は駆動する。加熱を行わない場合には、加熱部１９を加熱室２７に設置されたカセット３１から遠ざけるように駆動する。こうすることで、加熱室２７の加熱と排熱とを効率良く行うことが可能となる。
【００６０】
図４に示されるように、熱蛍光シート読み取り装置１は、さらに、第２冷却ファン２４と電源ユニット用ファン２５とを備える。
【００６１】
第２冷却ファン２４は、冷却室２２の近傍に位置し、熱蛍光シート読み取り装置１の内部の空気を外部へ排出するためのファンである。こうすることで、第２冷却ファン２４は冷却室２２に設置された熱蛍光シートの冷却を行うことができ、さらに、上述した第１冷却ファン１４と第２冷却ファン２４とで効率良く熱蛍光シート読み取り装置１の内部の排熱を行うことが可能となる。
【００６２】
電源ユニット用ファン２５は、電源ユニット２３を冷却するためのファンである。電源ユニット用ファン２５は、電源ユニット２３の近傍に位置する。
【００６３】
図５は、図３の破線Ｖで囲まれた部分を拡大して示す部分拡大図である。図５に示されるように、熱蛍光シート読み取り装置１は、加熱部１９と撮像部１５との間に、所定の帯域の波長だけを通過させるフィルタ１７を備えたフィルタ板１７ａと、撮像部１５を支持する保持板１５ａとを備える。
【００６４】
フィルタ１７は、特定波長の光のみを透過する光フィルタである。具体的には、フィルタ１７は、熱蛍光シートが発する蛍光を透過し、それ以外の光を透過させないように機能する。こうすることで、撮像部１５が備える撮像素子に、熱蛍光シートが発する蛍光以外の光が入射しにくくなる。つまり、ノイズとなる迷光が撮像素子に入射しにくくなるため、撮像部１５が備える撮像素子は、熱蛍光シートが発する蛍光を精度よく撮像することができる。
【００６５】
フィルタ板１７ａと保持板１５ａとは、撮像部１５が有するレンズ１６を挟むように、対向して筐体２に固定され、フィルタ板１７ａと保持板１５ａとで挟まれた空間は点検窓４と連通して設けられる。
【００６６】
また、フィルタ板１７ａと保持板１５ａとは、貫通孔２１が設けられており、貫通孔２１の空気が排出される側に屈曲部３７が設けられる。
【００６７】
屈曲部３７は、ある貫通孔から別の貫通孔へ直接空気が流れ込むことを防ぎ、熱蛍光シート読み取り装置１の内部の空気をより多く動かすための機構である。また、屈曲部３７は、貫通孔２１の上部に位置され、さらに貫通孔２１と撮像部１５の間を覆うように配置される。こうすることで、熱蛍光シート読み取り装置１の外部の光が、迷光となって装置内部に入り込み、撮像素子へ侵入する光量を低減することが可能となる。また、貫通孔２１の各々は、可能な限り距離をおいて配置されてもよい。こうすることで、熱蛍光シート読み取り装置１の内部の空気をより多く動かすことが可能となる。
【００６８】
なお、迷光を低減するために、熱蛍光シート読み取り装置１内部の壁面などは、光反射率を低くすることが好ましい。例えば、熱蛍光シート読み取り装置１内部の壁面などは、光吸収材が利用されてもよいし、光吸収材で表面が塗装されていてもよい。
【００６９】
図６は、筐体２の内側から見た扉部及び鍵部の一例を示す図である。図６の（ａ）は、筐体２の内側から見た扉部３及び鍵部２６の一例を示す図である。図６の（ｂ）は、図６の（ａ）の破線ＶＩで囲まれた部分を拡大して示す斜視図である。
【００７０】
図６に示されるように、扉部３が配置される筐体２の内側に、制御部２９（図９参照）からの指示を受けて電気的に動作される可動部２６ａを備える鍵部２６が備えられる。
【００７１】
制御部２９は、ＣＰＵ（Ｃｅｎｔｒａｌ  Ｐｒｏｃｅｓｓｉｎｇ  Ｕｎｉｔ）や制御プログラムによって実現される処理部である。制御部２９は、例えば、作業者がカセット３１を加熱室２７に設置し、加熱部１９を可動させた段階で鍵部２６を動作させ、扉部３が開かないようにする。制御部２９は、予め設定された所定の時間が経過した後に、鍵部２６を再度動作させ、扉部３を開くようにする。
【００７２】
また、制御部２９は、カセット搬入ランプ９ａへ、鍵部２６がロックした状態かどうかを判定し、カセット搬入ランプ９ａを点灯又は消灯させる指示を出す。また、制御部２９は、ヒータ通電ランプ１０へ、加熱部１９のヒータ等が動作中かどうかを判定し、ヒータ通電ランプ１０を点灯又は消灯させる指示を出す。
【００７３】
なお、鍵部２６を動作させるタイミングは、特に限定されるものではない。例えば、熱蛍光シート読み取り装置１に温度センサを設け、検知した温度によって鍵部２６を動作させ、扉部３が開かないようにしてもよい。また、作業者が、操作部５から鍵部２６へ指示を出せるようにしてもよい。また、筐体２は、扉部３ａの開閉を制御するために、扉部３ａの近傍に鍵部２６を備えてもよい。
【００７４】
次に、実施の形態に係るカセット３１について、図７Ａ〜図７Ｅを用いて説明する。
【００７５】
図７Ａは、実施の形態に係るカセット３１の外観の一例を示す斜視図である。図７Ｂは、図７Ａに示すカセット３１の熱蛍光シート押圧板４０の位置を変更した斜視図である。図７Ｃは、図７Ａに示すカセット３１の上面図である。図７Ｄは、図７Ａに示すカセット３１の下面図である。図７Ｅは、図７ＡのＶＩＩＥ−ＶＩＩＥ線に沿って切断されたカセット３１の断面図である。なお、図７Ｅは、熱蛍光シート６０をカセット３１に載置した場合を示す断面図である。
【００７６】
カセット３１は、熱蛍光シート読み取り装置１へ熱蛍光シート６０を搬入する際に熱蛍光シート６０を保持するための箱体である。図７Ａ〜図７Ｅに示されるように、カセット３１は、耐熱ガラス（ガラス）３５とスペーサ４３と熱蛍光シート押圧板４０と枠体３４を備える。
【００７７】
耐熱ガラス３５は、熱蛍光シート６０から発せられる蛍光を透過する透光性を有するガラスである。また、熱蛍光シート６０から発せられる蛍光を測定する際に、当該熱蛍光シート６０を加熱する必要があり、その際に耐熱ガラス３５も共に加熱されることになるため、耐熱ガラス３５は、熱膨張率が低く、温度変化に対して割れないように強化されたガラスであるとよい。耐熱ガラス３５は、例えば、二酸化ケイ素と酸化ホウ素とで形成される。耐熱ガラス３５は、熱蛍光シート６０と撮像部１５との間に配置される。
【００７８】
スペーサ４３は、熱蛍光シート６０と共に耐熱ガラス３５上に配置される部材である。スペーサ４３は、耐熱ガラス３５上に配置された際に、熱蛍光シート６０の周囲を囲むように配置される。熱蛍光シート６０は、図７Ｅに示すに示すように耐熱ガラス３５と熱蛍光シート押圧板４０との間に配置される。
【００７９】
また、スペーサ４３の厚みは、熱蛍光シート６０の厚みと略一致するように形成される。言い換えると、スペーサ４３の上面は、熱蛍光シート６０の上面と略面一となる。ここで、厚み方向は図７Ｅに示すＺ軸方向とし、厚みは、Ｚ軸方向の長さであるとする。また、スペーサ４３及び熱蛍光シート６０の上面とは、スペーサ４３及び熱蛍光シート６０のＺ軸の正方向側の面である。つまり、スペーサ４３及び熱蛍光シート６０は、スペーサ４３の上面と熱蛍光シート６０の上面とは面一となるように耐熱ガラス上に配置される。スペーサ４３の材料は特に限定されないが、例えば、アルミである。スペーサ４３は、スペーサ係止部４４によって枠体３４に固定される。ここで、スペーサ係止部４４は、例えば、枠体３４から取り外し可能なビスなどの部材により構成される。つまり、スペーサ４３は、枠体３４と着脱可能となるように枠体３４に固定される。こうすることで、スペーサ４３は、熱蛍光シートの厚さに応じた厚さを有するスペーサに変更可能である。
【００８０】
熱蛍光シート押圧板４０は、熱蛍光シート６０を耐熱ガラス３５に上から押さえつけるための板体である。具体的には、熱蛍光シート押圧板４０は、カセット３１を加熱する際に、加熱部１９と熱蛍光シート６０の間に位置し、加熱部１９に直接押さえつけられる部材である。熱蛍光シート押圧板４０は、開閉できるように枠体３４に取り付けられている。具体的には、図７Ａが熱蛍光シート押圧板４０を閉じた状態であり、図７Ｂが熱蛍光シート押圧板４０を開いた状態である。熱蛍光シート押圧板４０は、加熱によって熱蛍光シート６０が反り返るのを抑制し、かつ、加熱部１９と接触し溶着することを抑制することを可能とする。熱蛍光シート押圧板４０は、熱伝導部４１と枠部４２とで構成される。
【００８１】
熱伝導部４１は、加熱部１９の熱を熱蛍光シート６０に伝導するための板体である。熱伝導部４１は、熱伝導性が高く、且つ、加熱部１９の熱により変形が起こらなければよく、特に限定されない。熱伝導部４１は、熱伝導性の観点から、ガラス繊維とポリテトラフルオロエチレン（いわゆる、テフロン（登録商標））とで構成されるとよい。
【００８２】
枠部４２は、熱伝導部４１の変形を抑制するために熱伝導部４１の周囲に形成される枠である。枠部４２は、例えば、鉄などの磁性体で形成される。
【００８３】
枠体３４は、耐熱ガラス３５等を支持する枠である。つまり、耐熱ガラス３５、スペーサ４３及び熱蛍光シート押圧板４０を枠体３４で支持することでカセット３１は一体として形成される。枠体３４の材料は、特に限定されるものではないが、例えば、樹脂又は金属等で形成される。
【００８４】
また、枠体３４は、図７Ｅに示すように、その一部がマグネット３４ａで形成される。また、枠部４２及び枠体３４は、スペーサ４３を介して対抗する位置に配置される。具体的には、マグネット３４ａは熱蛍光シート押圧板４０の枠部４２の下方に形成される。つまり、マグネット３４ａと枠部４２とは、スペーサ４３をはさんで磁力で引き合う。こうすることで、耐熱ガラス３５と熱蛍光シート押圧板４０との間に位置する熱蛍光シート６０及びスペーサ４３は、上述した磁力により、耐熱ガラス３５及び熱蛍光シート押圧板４０に強く挟まれるようになる。そのため、簡便な構成で熱蛍光シート６０をカセット３１に固定することが可能となる。なお、枠部４２及び枠体３４は、一方が磁性体を含み、他方がマグネット３４ａを含んでいればよく、限定されない。
【００８５】
また、上述したように、スペーサ４３の上面と熱蛍光シート６０の上面とは面一となるように耐熱ガラス３５上に配置される。つまり、熱蛍光シート押圧板４０の下面（具体的には、熱伝導部４１の下面）は、熱蛍光シート６０の面全体に一様な力を加えて熱蛍光シート６０と接触する。さらに、枠体３４の上面５０と熱蛍光シート押圧板４０の上面５０ａとは、面一になるように形成される。これにより、加熱部１９の熱を、熱伝導部４１を介して熱蛍光シート６０に伝える際に、熱蛍光シート６０全体に一様に熱を伝導しやすくなる。そのため、熱蛍光シート６０は反り返り等の変形を起こしにくくなる。
【００８６】
また、枠体３４は、図７Ｃに示されるように、上面５０に複数の溝部３２を備える。
【００８７】
溝部３２は、カセット３１を加熱室２７から冷却室２２へ搬送する際に、搬送部３６が備えたカセット係止部３６ａに係止される部分であり、複数箇所に形成されている。また、カセット３１を平面視した場合に、複数の溝部３２の各々は、カセット３１の中心を９０度回転させたときに略一致する位置に形成されている。言い換えると、複数の溝部３２は、カセット３１が水平面と平行な第１の向きで加熱室２７に搬入された場合の位置と、カセット３１が水平面と平行で、かつ、第１の向きと直交する第２の向きで加熱室２７に搬入された場合の位置とが略一致する位置に形成されている。カセット３１を平面視した場合の図形が、例えば、略正方形に形成されている場合、カセット３１は、４つの辺のいずれの辺から搬入された場合においても、略一致する位置に溝部３２が形成されている。こうすることで、作業者は、熱蛍光シート読み取り装置１へカセット３１を搬入する際に、カセット３１の向きを気にする必要がなくなる。そのため、作業者は、カセット３１を搬入する際の負担が軽減される。なお、溝部３２は、搬送部３６が備えるカセット係止部３６ａに係止される構造であればよく、例えば、窪みや貫通孔など、特に限定されない。
【００８８】
また、枠体３４は、図７Ｄに示されるように、下面５１に凹部３３を備える。凹部３３は、加熱室２７が備える凸部（不図示）に嵌合するように形成される。つまり、カセット３１が加熱室２７に搬送される際に、カセット３１の位置を決定するために利用される。これにより、熱蛍光の測定ごとに、加熱室２７内でのカセット３１の位置のばらつきは抑制される。なお、凹部３３は、加熱室２７が備える凸部に係止される構造であればよく、例えば、窪みや貫通孔など、特に限定されない。
【００８９】
なお、カセット３１は、作業者が取り扱いをしやすいように、カセット３１に作業者がつかむための窪みや孔などが形成されてもよい。
【００９０】
次に、実施の形態に係るカセットの変形例について説明する。
【００９１】
図７Ｆは、図７ＡのＶＩＩＥ−ＶＩＩＥ線に対応した位置に沿って切断されたカセットの変形例を示す断面図である。なお、図７Ｅと同様の構成については同一の符号を付しており、重複する説明は省略または簡略化する。
【００９２】
図７Ｆに示されるように、カセット３１ｂは、カセット３１にさらに保護シート６１を備える。
【００９３】
保護シート６１は、熱蛍光シート６０から発せられる蛍光を透過する透光性を有するシートである。また、熱蛍光シート６０から発せられる蛍光を測定する際に、当該熱蛍光シート６０を加熱する必要があり、その際に保護シート６１も共に加熱されることになるため、保護シート６１は、熱膨張率が低く、耐熱性があるとよい。保護シート６１は、例えば、ポリエチレンテレフタレート（ＰＥＴ）、ポリイミド等で形成される。保護シート６１は、熱蛍光シート６０と耐熱ガラス３５との間に配置される。
【００９４】
ここで、スペーサ４３の厚みと、熱蛍光シート６０の厚みと保護シート６１の厚みとの合計の厚みとは、略一致する。言い換えると、スペーサ４３の上面は、熱蛍光シート６０の上面と略面一となる。つまり、スペーサ４３及び熱蛍光シート６０は、スペーサ４３の上面と熱蛍光シート６０の上面とは面一となるように耐熱ガラス上に配置される。
【００９５】
これにより、熱蛍光シート押圧板４０は、熱蛍光シート６０全体に一様な力を加えやすくなる。さらには、熱蛍光シート押圧板４０が熱蛍光シート６０に熱を伝導する際に、熱蛍光シート６０全体に一様に熱が加わりやすくなる。そのため、熱蛍光シート６０の変形は抑制される。
【００９６】
図８は、図３の破線ＶＩＩＩで囲まれた部分を拡大して示す部分拡大図である。具体的には、図８は、カセット３１を加熱室２７から冷却室２２へ搬送する搬送部３６と、カセット３１が加熱室２７及び／又は冷却室２２に設置された状態を示す図である。
【００９７】
図８に示されるように、熱蛍光シート読み取り装置１は、搬送部３６を備える。
【００９８】
搬送部３６は熱蛍光シート読み取り装置１内を移動できるように形成されている。また、搬送部３６は、駆動可能なカセット係止部３６ａを備える。搬送部３６及びカセット係止部３６ａは、駆動可能とするためにモータ（不図示）等を備え、制御部２９からの指示により駆動する。
【００９９】
図８の（ａ）は、熱蛍光シート読み取り装置１にカセット３１が設置されていない状態である。図８の（ｂ）は、熱蛍光シート６０が保持されたカセット３１が、作業者により搬入口３８から加熱室２７へ搬入された後に、加熱室２７に設置された状態である。図８の（ｃ）は、熱蛍光シートが保持されたカセット３１が、搬送部３６によって冷却室２２へ移動し、冷却室２２に設置された状態である。
【０１００】
搬送部３６は、蛍光の測定が終了した後に、熱蛍光シート６０を保持するカセット３１を、加熱室２７から冷却室２２へ搬送する。まず、搬送部３６は、加熱室２７へ近づくように移動を開始する。搬送部３６は、加熱室２７に設置されているカセット３１に近づいたところで駆動を一旦停止する。次に、カセット係止部３６ａが駆動し、カセット係止部３６ａはカセット３１の溝部３２に係止される。搬送部３６は、カセット係止部３６ａがカセット３１に係止された状態で駆動し、冷却室２２へカセット３１を搬送させる。搬送部３６は、カセット３１を冷却室２２へ搬送した後で停止する。カセット係止部３６ａは、カセット３１を係止していない状態になるように駆動する。
【０１０１】
図８の（ｄ）は、カセット３１が冷却室２２に設置され、かつ、新たにカセット３１ａが作業者によって新たに加熱室２７へ設置された状態である。こうすることで、熱蛍光シート読み取り装置１は、カセット３１ａの加熱と、カセット３１の冷却とを同時に行うことが可能となる。カセット３１は、冷却室２２に所定の時間設置された後、作業者によって熱蛍光シート読み取り装置１から取り出される。
【０１０２】
なお、搬送部３６は、カセット係止部３６ａがカセット３１の溝部３２に係止され、カセット３１を加熱室２７から冷却室２２へ搬送できるような機構であればよく、形状などは特に限定されない。
【０１０３】
図９は、実施の形態に係る熱蛍光シート読み取り装置１の特徴的な機能構成と空気の流路を示すブロック図である。なお、図９に示す白抜きの矢印は、空気の流れる方向を示す。また、図９においては、図１〜図８で説明された実質的に同一の構成に対しては同一の符号を付しており、重複する説明は省略または簡略化する。
【０１０４】
この熱蛍光シート読み取り装置１は、操作部５と、制御部２９と、記憶部３０と、加熱部１９と、加熱室２７と、撮像部１５と、第１冷却ファン１４と、第２冷却ファン２４と、冷却室２２と、搬送部３６とを備える。
【０１０５】
操作部５は、作業者の指示を受け付ける装置である。
【０１０６】
制御部２９は、ＣＰＵや制御プログラムによって実現される処理部である。
【０１０７】
記憶部３０は、制御プログラムやデータ等を保持する部分であり、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）によって実現される。記憶部３０は、例えば、加熱部１９の温度制御条件や撮像部１５で取得した画像データなどを保持する。ここで温度制御条件とは、加熱部１９の温度を所定の温度で、所定の時間保持する条件が設定されたプログラムである。
【０１０８】
加熱部１９は、熱蛍光シート６０が保持されたカセット３１が搬入される加熱室２７を加熱するためのもので、電気ヒータ等のヒータユニットを備える。
【０１０９】
加熱室２７は、熱蛍光シート６０から発せられる蛍光を測定するために、加熱部１９により加熱される熱蛍光シート６０が設置される部屋（空間）である。
【０１１０】
撮像部１５は、蛍光を測定する撮像素子を有するカメラと、蛍光を集光するレンズ１６と所定の波長のみを透過するフィルタ１７とを備え、加熱部１９の下方に設置される。
【０１１１】
第１冷却ファン１４は、熱蛍光シート読み取り装置１の外部から内部へ空気を送入するように動作され、撮像部１５に隣接して設置される。
【０１１２】
第２冷却ファン２４は、熱蛍光シート読み取り装置１の内部から外部へ空気を排出するように動作され、冷却室２２に隣接して設置される。
【０１１３】
冷却室２２は、蛍光の測定が終了した熱蛍光シート６０を、熱蛍光シート読み取り装置１の外部へ搬出する前に、熱蛍光シート６０を冷却するために設置される部屋（空間）である。
【０１１４】
搬送部３６は、カセット３１を加熱室２７から冷却室２２へ移動させる機構である。
【０１１５】
以上のような構成にすることで、熱蛍光シート読み取り装置１内には、図９に示される白抜きの矢印の向きに空気の流路が形成される。つまり、空気は、第１冷却ファン１４によって筐体２内に取り込まれ、撮像部１５近傍を通過し、さらに加熱部１９の近傍を通過する。加熱部１９の近傍を通過した空気は、冷却室２２を通過し、第２冷却ファン２４によって筐体２の外へ排出される。これにより、加熱部１９で発生した熱が撮像部１５へ伝達されることは抑制される。
【０１１６】
次に、以上のように構成された熱蛍光シート読み取り装置１の動作に関して説明する。
【０１１７】
図１０は、実施の形態に係る熱蛍光シート読み取り装置１の蛍光測定の手順を示すフローチャートである。
【０１１８】
まず、作業者は熱蛍光シート６０が保持されたカセット３１を加熱室２７に設置する（Ｓ１０）。
【０１１９】
次に、作業者からの指示を受け付けた制御部２９は加熱部１９を作動させ、加熱室２７を加熱する（Ｓ１１）。このときに、制御部２９は、第１冷却ファン１４及び第２冷却ファン２４を駆動させる。これにより、熱蛍光シート読み取り装置１の内部には空気の流路が形成される。また、制御部２９は鍵部２６を駆動し、扉部３が開かないようにする（Ｓ１２）。加熱室２７は徐々に温度が上昇し、熱蛍光シート６０からは温度の上昇とともに蛍光が発せられ、撮像部１５は蛍光を検知する。
【０１２０】
次に、制御部２９は、蛍光の測定が終了した段階で、加熱部１９の動作を停止する（Ｓ１３）。そして、制御部２９は光源１８を動作させ熱蛍光シート６０に向けて光を照射させる。光源１８が熱蛍光シート６０へ光を照射した状態で、撮像部１５は熱蛍光シート６０に付されている位置決めマークを検出する（Ｓ１４）。
【０１２１】
次に、搬送部３６は、カセット３１を加熱室２７から冷却室２２へ搬送する（Ｓ１５）。
【０１２２】
次に、制御部２９は、予め設定された所定の時間が経過した後で鍵部２６を動作させ扉部３のロックを解除する（Ｓ１６）。
【０１２３】
また、測定を行いたい熱蛍光シートがある場合には、上述した手順を繰り返す。
【０１２４】
（まとめ）
以上のように、本発明に係るカセット３１は、放射線が照射された熱蛍光シート６０から発せられる蛍光を測定する際に当該熱蛍光シート６０を保持するカセットである。カセット３１は、熱蛍光シート６０が発する蛍光を透過し、上面に熱蛍光シート６０が載置される平板状のガラス３５（耐熱ガラス３５）と、ガラス３５の上面で熱蛍光シート６０の周囲に載置されるスペーサ４３と、熱蛍光シート６０と下面で面接触して押圧する平板状の熱蛍光シート押圧板４０と、を備える。さらに、スペーサ４３の上面は、熱蛍光シート６０の上面と面一となる。
【０１２５】
これにより、熱蛍光シート押圧板４０は、熱蛍光シート６０全体に一様な力を加えやすくなる。さらには、熱蛍光シート押圧板４０が熱蛍光シート６０に熱を伝導する際に、熱蛍光シート６０全体に一様に熱が加わりやすくなる。そのため、熱蛍光シート６０の変形は抑制される。
【０１２６】
また、スペーサ４３の厚みと熱蛍光シート６０の厚みとは、略一致してもよい。
【０１２７】
これにより、熱蛍光シート押圧板４０は、熱蛍光シート６０全体に一様な力を加えやすくなる。
【０１２８】
また、本発明に係るカセットは、蛍光を透過し、ガラス３５の上面に載置される平板状の保護シート６１を備えてもよい。その場合には、熱蛍光シート６０は、保護シート６１の上面に載置される。さらに、スペーサ４３の厚みと、熱蛍光シート６０の厚みと保護シート６１の厚みとの合計の厚みとは、略一致してもよい。
【０１２９】
これにより、熱蛍光シート押圧板４０は、熱蛍光シート６０全体に一様な力を加えやすくなる。
【０１３０】
また、カセット３１は、ガラス３５及び熱蛍光シート押圧板４０を支持する枠体３４を備えてもよい。また、熱蛍光シート押圧板４０が熱蛍光シート６０を押圧しているときに、枠体３４の上面と熱蛍光シート押圧板４０の上面とが面一となってもよい。
【０１３１】
これにより、カセット３１上部にヒータ等の加熱部１９が押し当てられた場合に、カセット３１上面には一様に力が加わりやすくなる。つまり、熱蛍光シート６０全体に一様な力が加わりやすくなる。そのため、熱蛍光シート６０の変形は抑制される。
【０１３２】
また、熱蛍光シート押圧板４０は、熱蛍光シート６０と面接触する平板状の熱伝導部４１と当該熱伝導部４１の端部に形成された枠部４２とを有してもよい。また、熱伝導部４１は、ガラス繊維及びポリテトラフルオロエチレンを含んでもよい。つまり、ガラス繊維及びポリテトラフルオロエチレンが熱伝導部４１の材料として採用されてもよい。
【０１３３】
これにより、熱蛍光シート押圧板４０は加熱部１９から発せられる熱を熱蛍光シート６０に効率よく伝導しやすい。
【０１３４】
また、枠部４２及び枠体３４は、一方が磁性体を含み、他方がマグネット３４ａを含んでもよい。また、枠部４２及び枠体３４は、スペーサ４３を介して対抗する位置であってもよい。
【０１３５】
こうすることで、熱蛍光シート６０がカセット３１に保持される際に、枠体３４と枠部４２とは磁力によって位置が固定される。そのため、熱蛍光シート６０を保持するために係止部分を設ける必要がなくなる。そのため、カセット３１は、簡便な構成で熱蛍光シート６０をカセット３１に保持し得る。
【０１３６】
また、カセット３１は平面視で略正方形でもよい。また、枠体３４は、上面に複数の溝部３２を有してもよい。カセット３１を平面視した場合に、複数の溝部３２は、カセット３１の中心を９０度回転させたときに略一致する位置に形成されていてもよい。
【０１３７】
つまり、カセット３１は、第１の向きと、第１の向きと直交する第２の向きとで、熱蛍光シート読み取り装置１内部でのカセット３１の搬送に用いられる溝部３２の位置が略一致する。そのために、作業者がカセット３１を熱蛍光シート読み取り装置１内へ搬入する際に、カセット３１の向きによる制限を受けないので、作業者の負担を軽減することが可能となる。
【０１３８】
また、枠体３４の下面には、凹部３３が形成されていてもよい。具体的には、カセット３１は、熱蛍光シート読み取り装置１内での移動中にカセット３１が設置される位置を決めるために利用される凹部３３を備えてもよい。
【０１３９】
これにより、簡便な構成で熱蛍光シート読み取り装置１内におけるカセット３１の設置位置を決定できる。
【０１４０】
また、枠体３４とスペーサ４３とは着脱可能に固定されてもよい。
【０１４１】
これにより、熱蛍光シート６０の厚みに応じてスペーサ４３を簡便に変更することができる。つまり、スペーサ４３の変更のみで熱蛍光シート６０の厚みに応じたカセット３１を提供し得る。
【０１４２】
また、本発明に係る熱蛍光シート読み取り装置１は、放射線が照射された熱蛍光シートから発せられる蛍光を測定する熱蛍光シート読み取り装置であって、カセット３１を備える。
【０１４３】
これにより、熱蛍光シート６０の変形が抑制されるカセット３１を備える熱蛍光シート読み取り装置１を提供することが可能となる。
【０１４４】
（その他）
以上、本発明の熱蛍光シート読み取り装置１について、実施の形態に基づいて説明したが、本発明は、この実施の形態に限定されるものではない。
【０１４５】
例えば、加熱部１９の形状に関して、カセット３１の上面を均一に押さえつけることができる形状であればよく、特に限定されない。例えば、加熱部１９の下面において、カセット３１と接する面以外の部分でカセット３１と接する部分を有してもよい。具体的には、加熱部１９は、カセット３１の上面の端（角）と接する複数の個所を設けてもよい。こうすることで、加熱部１９がカセット３１を押さえつける際に、接する複数の個所によってカセット３１の位置が固定できる。そのため、熱蛍光の測定ごとに、加熱室２７内でのカセット３１の位置のばらつきは抑制される。
【０１４６】
以上、本発明の趣旨を逸脱しない限り、当事者が思いつく各種変形を本実施の形態に施したものや、異なる実施の形態における構成要素を組み合わせて構築される形態も、本発明に含まれる。
【産業上の利用可能性】
【０１４７】
本発明は、熱蛍光シートを保持するカセットとして、例えば、熱蛍光シートの変形を抑制することが可能であるカセット等を提供することができる。
【符号の説明】
【０１４８】
１      熱蛍光シート読み取り装置
２      筐体
３、３ａ      扉部
４      点検窓
５      操作部
６      空気送入口
７      カセット保管部
８      非常停止スイッチ
９ａ    カセット搬入ランプ
９ｂ    カセット搬出ランプ
１０    ヒータ通電ランプ
１１    上部通風口
１２    空気排出口
１３    電源・コネクタ部
１４    第１冷却ファン
１５    撮像部
１５ａ  保持板
１６    レンズ
１７    フィルタ
１７ａ  フィルタ板
１８    光源
１９    加熱部
２０    上部冷却ファン
２１    貫通孔
２２    冷却室
２３    電源ユニット
２４    第２冷却ファン
２５    電源ユニット用ファン
２６    鍵部
２６ａ  可動部
２７    加熱室
２８    モータ
２９    制御部
３０    記憶部
３１、３１ａ、３１ｂ    カセット
３２    溝部
３３    凹部
３４    枠体
３４ａ    マグネット
３５    耐熱ガラス（ガラス）
３６    搬送部
３６ａ    カセット係止部
３７    屈曲部
３８    搬入口
４０    熱蛍光シート押圧板
４１    熱伝導部
４２    枠部
４３    スペーサ
４４    スペーサ係止部
５０、５０ａ    上面
５１    下面
６０    熱蛍光シート
６１    保護シート
【図１】
2018040591.tif 000003
【図２】
2018040591.tif 000004
【図３】
2018040591.tif 000005
【図４】
2018040591.tif 000006
【図５】
2018040591.tif 000007
【図６】
2018040591.tif 000008
【図７Ａ】
2018040591.tif 000009
【図７Ｂ】
2018040591.tif 000010
【図７Ｃ】
2018040591.tif 000011
【図７Ｄ】
2018040591.tif 000012
【図７Ｅ】
2018040591.tif 000013
【図７Ｆ】
2018040591.tif 000014
【図８】
2018040591.tif 000015
【図９】
2018040591.tif 000016
【図１０】
2018040591.tif 000017